(57)【要約】  【課題】差込側コネクタの前部にシ−ルド体が取付けられていても、差込側コネクタによる可動接点の駆動時に、可動接点とシ−ルド体とが電気的に導通するのを防止する。  【解決手段】差込側コネクタ１による可動接点６の駆動時に、差込側コネクタ１に接触する可動接点６の部位に絶縁部材８を取付けることにより、差込側コネクタ１の前部が絶縁部材８に接触しつつ可動接点６が駆動される。このため、差込側コネクタ１の前部にシ−ルド体が取付けられていても、可動接点６とシ−ルド体との電気的導通が防止される。【選択図】図１
2005071871.tif 000002
【特許請求の範囲】
【請求項１】
差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、
前記差込側コネクタによる前記可動接点の駆動時に、前記差込側コネクタに接触する前記可動接点の部位に絶縁部材を取付けたことを特徴とするスイッチ付きコネクタ。
【請求項２】
差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、
前記受口側コネクタの所定位置に、前記受口側コネクタへの前記差込側コネクタの嵌脱操作に応じて回動するカム機構を配設し、前記可動接点は、前記カム機構を介して駆動するようにしたことを特徴とするスイッチ付きコネクタ。
【請求項３】
前記カム機構は、絶縁材料で作製した請求項２記載のスイッチ付きコネクタ。
【請求項４】
差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、
前記可動接点の所定部位に、前記受口側コネクタへの前記差込側コネクタの嵌脱操作に応じて回転する回転コマを取付け、前記可動接点は、前記回転コマを介して駆動するようにしたことを特徴とするスイッチ付きコネクタ。
【請求項５】
前記回転コマにおけるコマ本体または取付部材の少なくともいずれかは、絶縁材料で作製した請求項４記載のスイッチ付きコネクタ。
【発明の詳細な説明】
【技術分野】
【０００１】
本発明は、スイッチ付きコネクタに関するものであり、特に、差込側コネクタ前部のシ−ルド体とスイッチ可動接点との電気的導通を防止するようにしたスイッチ付きコネクタに関するものである。
【背景技術】
【０００２】
従来のコネクタの例を図７を用いて説明する。プラグとしての差込側コネクタ１と、この差込側コネクタ１が嵌合される受口が形成され回路基板等に実装されるレセプタクルとしての受口側コネクタ２とを備えている。受口側コネクタ２の受口内には、図示省略の複数個の信号コンタクトが所定のピッチで絶縁部材に保持され、受口側コネクタ２の背面側に各信号コンタクトの接続端子３a〜３eが突出している。差込側コネクタ１にも、上記の各信号コンタクトに対応した図示省略の複数個のコンタクトが絶縁部材に保持されている。そして、受口側コネクタ２への差込側コネクタ１の嵌脱操作により、一時に複数個の回路等を接続分離させるようになっている。
【０００３】
このような従来のコネクタにおいて、受口側コネクタ２への差込側コネクタ１の嵌合と同時に、受口側コネクタ２が取付けられている電気機器等の内部回路の一部を外部回路に切替えたり、その電気機器の電源を内部電源から外部電源に切替えたりすることができれば、その電気機器等の機能の向上とともに使い勝手がよくなることが考えられる。
【０００４】
これに対する従来技術として、例えば、次のような構造のスイッチ付きコネクタが知られている。このスイッチ付きコネクタは、受口側コネクタの側方部に、差込側コネクタの嵌合方向に長手状をした全体が金属のみからなるスイッチコンタクト（可動接点）が設けられている。スイッチコンタクトは、長手方向のほぼ中央部が絶縁材からなる突出角状の支点部に当接し、その一端部側には差込側コネクタの前部と接触する押圧部が形成され、他端部側には信号コンタクトと接触する接触部が形成されている。スイッチコンタクトは、差込側コネクタの嵌合時に、押圧部が押圧されて変位したとき、接触部が支点部を中心に前記変位方向とは逆方向に変位して信号コンタクトと開離するようになっている（例えば、特許文献１参照）。
【特許文献１】特開平８−１０２３４９号公報
【発明の開示】
【発明が解決しようとする課題】
【０００５】
上記特許文献１に記載のスイッチ付きコネクタにおけるスイッチコンタクトは、全体が金属のみから形成されているが、差込側コネクタの前部には、金属板の成形体等からなるシ−ルド体が取付けられているのが一般的である。このため、受口側コネクタへの差込側コネクタの嵌脱操作時に、差込側コネクタの前部でスイッチコンタクトの一端部側を駆動してスイッチ動作をさせるとき、スイッチコンタクトが差込側コネクタ前部のシ−ルド体に接触して電気的に導通し、電源線路等がショ−トするおそれがある。また、スイッチコンタクトは、板ばね等で形成されて復帰性を持つように構成されているのが一般的である。このため、差込側コネクタの前部でスイッチコンタクトを駆動すると、受口側コネクタへの差込側コネクタの嵌脱操作が重くなるおそれがある。
【０００６】
そこで、差込側コネクタの前部にシ−ルド体が取付けられていても、差込側コネクタによる可動接点の駆動時に、可動接点とシ−ルド体とが電気的に導通するのを防止し、また、差込側コネクタの前部で可動接点を駆動しても受口側コネクタへの差込側コネクタの嵌脱操作をスム−ズに行えるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、前記差込側コネクタによる前記可動接点の駆動時に、前記差込側コネクタに接触する前記可動接点の部位に絶縁部材を取付けたスイッチ付きコネクタを提供する。
【０００８】
受口側コネクタへの差込側コネクタの嵌脱操作時に、差込側コネクタにより、その前部が絶縁部材に接触しつつ可動接点が駆動されてスイッチの開閉動作が行われる。
【０００９】
請求項２記載の発明は、差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、前記受口側コネクタの所定位置に、前記受口側コネクタへの前記差込側コネクタの嵌脱操作に応じて回動するカム機構を配設し、前記可動接点は、前記カム機構を介して駆動するようにしたスイッチ付きコネクタを提供する。
【００１０】
受口側コネクタへの差込側コネクタの嵌脱操作時に、差込側コネクタの前部がカム機構に当接することにより、カム機構が所要量回動する。このカム機構の回動により可動接点が駆動されてスイッチの開閉動作が行われる。
【００１１】
請求項３記載の発明は、前記カム機構は、絶縁材料で作製した請求項２記載のスイッチ付きコネクタを提供する。
【００１２】
差込側コネクタの前部にシ−ルド体が取付けられていても、上記請求項２記載の発明に係るスイッチ付きコネクタの作用時に、可動接点とシ−ルド体間の絶縁が図られる。
【００１３】
請求項４記載の発明は、差込側コネクタおよび受口側コネクタを備えたコネクタ本体と、可動接点および固定接点を備え、前記受口側コネクタに付設したスイッチとを有し、前記受口側コネクタへの前記差込側コネクタの嵌脱操作に応じて前記可動接点を駆動するようにしたスイッチ付きコネクタにおいて、前記可動接点の所定部位に、前記受口側コネクタへの前記差込側コネクタの嵌脱操作に応じて回転する回転コマを取付け、前記可動接点は、前記回転コマを介して駆動するようにしたスイッチ付きコネクタを提供する。
【００１４】
受口側コネクタへの差込側コネクタの嵌脱操作時に、差込側コネクタの前部が回転コマに当接して回転コマが回転する。可動接点は、この回転する回転コマを介して駆動されてスイッチの開閉動作が行われる。
【００１５】
請求項５記載の発明は、前記回転コマにおけるコマ本体または取付部材の少なくともいずれかは、絶縁材料で作製した請求項４記載のスイッチ付きコネクタを提供する。
【００１６】
差込側コネクタの前部にシ−ルド体が取付けられていても、上記請求項４記載の発明に係るスイッチ付きコネクタの作用時に、可動接点とシ−ルド体間の絶縁が図られる。
【発明の効果】
【００１７】
請求項１記載の発明は、差込側コネクタによる可動接点の駆動時に、前記差込側コネクタに接触する前記可動接点の部位に絶縁部材を取付けたので、差込側コネクタの前部にシ−ルド体が取付けられていても、差込側コネクタによる可動接点の駆動時に、可動接点とシ−ルド体とが電気的に導通するのを防止することができるという利点がある。
【００１８】
請求項２記載の発明は、受口側コネクタの所定位置に、前記受口側コネクタへの差込側コネクタの嵌脱操作に応じて回動するカム機構を配設し、可動接点は、前記カム機構を介して駆動するようにしたので、差込側コネクタの前部で可動接点を駆動しても受口側コネクタへの差込側コネクタの嵌脱操作をスム−ズに行うことができるという利点がある。
【００１９】
請求項３記載の発明は、カム機構は、絶縁材料で作製したので、上記請求項２記載の発明の効果に加えてさらに、差込側コネクタの前部にシ−ルド体が取付けられていても、差込側コネクタによる可動接点の駆動時に、可動接点とシ−ルド体とが電気的に導通するのを防止することができるという利点がある。
【００２０】
請求項４記載の発明は、可動接点の所定部位に、受口側コネクタへの差込側コネクタの嵌脱操作に応じて回転する回転コマを取付け、前記可動接点は、前記回転コマを介して駆動するようにしたので、差込側コネクタの前部で可動接点を駆動しても受口側コネクタへの差込側コネクタの嵌脱操作をスム−ズに行うことができるという利点がある。
【００２１】
請求項５記載の発明は、回転コマにおけるコマ本体または取付部材の少なくともいずれかは、絶縁材料で作製したので、上記請求項４記載の発明の効果に加えてさらに、差込側コネクタの前部にシ−ルド体が取付けられていても、差込側コネクタによる可動接点の駆動時に、可動接点とシ−ルド体とが電気的に導通するのを防止することができるという利点がある。
【発明を実施するための最良の形態】
【００２２】
以下、本発明の実施の形態を図面に従って詳述する。本実施の形態は、スイッチとして開閉（オン・オフ）スイッチが適用されている。
【００２３】
図１および図２は、本発明の第１の実施の形態を示す図である。なお、図１、図２および後述する第２の実施の形態以下の各実施の形態を示す図において、前記図７における構成要素と同一ないし均等のものは、前記と同一符号を以って示し、重複した説明を省略する。
【００２４】
まず、図１を用いて、本実施の形態に係るスイッチ付きコネクタの構成を説明する。差込側コネクタ１および受口側コネクタ２によりコネクタ本体４が構成され、前記受口側コネクタ２の側方部にスイッチ５が設けられている。該スイッチ５は、可動接点６および固定接点７を備え、ノ−マリオンの開閉スイッチとして構成されている。前記可動接点６は、板ばね等からなる復帰性を持つ部材で形成され、その先端部（図１の上部）が、受口側コネクタ２への差込側コネクタ１の嵌脱操作の際に、該差込側コネクタ１の前部で駆動されて、前記スイッチ５がオン・オフ動作をするようになっている。
【００２５】
そして、本実施の形態では、上記差込側コネクタ１による可動接点６の駆動時に、その差込側コネクタ１に接触する可動接点６の先端部位に、インサ−ト成形によりプラスチックからなる絶縁部材８が取付けられている。
【００２６】
次に、図２を用いて、上述のように構成されたスイッチ付きコネクタの作用を説明する。前記受口側コネクタ２への差込側コネクタ１の嵌脱操作時に、その差込側コネクタ１の前部が前記絶縁部材８に接触しつつ可動接点６が駆動されて、前記スイッチ５のオン・オフ動作が行われる。
【００２７】
したがって、本実施の形態に係るスイッチ付きコネクタにおいては、差込側コネクタ１の前部にシ−ルド体が取付けられていても、差込側コネクタ１による可動接点６の駆動時に、該可動接点６とシ−ルド体とが電気的に導通するのを防止することができて、スイッチ５に接続された電源線路等に異常を生じさせることがない。
【００２８】
図３および図４には、本発明の第２の実施の形態を示す。本実施の形態では、図３に示すように、可動接点６の先端部から僅かに離れた受口側コネクタ２の所定位置に、該受口側コネクタ２への前記差込側コネクタ１の嵌脱操作に応じて回動するカム機構９が配設されている。該カム機構９は、硬質プラスチック等の絶縁材料で作製されている。前記可動接点６は、前記差込側コネクタ１の嵌脱操作の際に、このカム機構９を介して駆動されるようになっている。
【００２９】
そして、図４に示すように、前記受口側コネクタ２への差込側コネクタ１の嵌脱操作時に、該差込側コネクタ１の前部がカム機構９に当接することにより、該カム機構９が所要量回動する。このカム機構９の回動により可動接点６が駆動されて、前記スイッチ５のオン・オフ動作が行われる。
【００３０】
したがって、本実施の形態に係るスイッチ付きコネクタにおいては、前記差込側コネクタ１の前部で可動接点６を駆動しても、受口側コネクタ２への前記差込側コネクタの嵌脱操作をスム−ズに行うことができる。また、前記カム機構９は、絶縁材料で作製されているので、差込側コネクタ１の前部にシ−ルド体が取付けられていても、該差込側コネクタ１による前記カム機構９を介しての可動接点６の駆動時に、該可動接点６とシ−ルド体とが電気的に導通するのを防止することができる。
【００３１】
図５および図６には、本発明の第３の実施の形態を示す。本実施の形態では、図５に示すように、可動接点６の先端部側に、受口側コネクタ２への差込側コネクタ１の嵌脱操作に応じて回転する回転コマ１０が取付けられている。該回転コマ１０におけるコマ本体１０aもしくは取付部材１０bの少なくともいずれかは、硬質プラスチック等の絶縁材料で作製されている。前記可動接点６は、前記差込側コネクタ１の嵌脱操作の際に、この回転コマ１０を介して駆動されるようになっている。
【００３２】
そして、図６に示すように、前記受口側コネクタ２への差込側コネクタ１の嵌脱操作時に、該差込側コネクタ１の前部が回転コマ１０に当接することにより、該回転コマ１０が回転する。前記可動接点６は、この回転する回転コマ１０を介して駆動されて、スイッチ５のオン・オフ動作が行われる。
【００３３】
したがって、本実施の形態に係るスイッチ付きコネクタにおいては、前記差込側コネクタ１の前部で可動接点６を駆動しても、受口側コネクタへの前記差込側コネクタの嵌脱操作をスム−ズに行うことができる。また、回転コマ１０におけるコマ本体１０aもしくは取付部材１０bの少なくともいずれかは、絶縁材料で作製されているので、差込側コネクタ１の前部にシ−ルド体が取付けられていても、該差込側コネクタ１による回転コマ１０を介しての可動接点６の駆動時に、該可動接点６とシ−ルド体とが電気的に導通するのを防止することができる。
【００３４】
なお、本発明は、スイッチとして、開閉スイッチの他に、切替えスイッチその他のものも適用することができる。また、本発明は、本発明の精神を逸脱しない限り種々の改変をなすことができ、そして、本発明が該改変されたものにも及ぶことは当然である。
【図面の簡単な説明】
【００３５】
【図１】本発明の第１の実施の形態に係るスイッチ付きコネクタの一部切り欠き平面図。
【図２】上記第１の実施の形態の動作を説明するための一部切り欠き平面図。
【図３】本発明の第２の実施の形態の一部切り欠き平面図。
【図４】上記第２の実施の形態の動作を説明するための一部切り欠き平面図。
【図５】本発明の第３の実施の形態の一部切り欠き平面図。
【図６】上記第３の実施の形態の動作を説明するための一部切り欠き平面図。
【図７】従来のコネクタの平面図。
【符号の説明】
【００３６】
１    差込側コネクタ
２    受口側コネクタ
４    コネクタ本体
５    スイッチ
６    可動接点
７    固定接点
８    絶縁部材
９    カム機構
１０    回転コマ
１０a  コマ本体
１０b  取付部材
【図１】
2005071871.tif 000003
【図２】
2005071871.tif 000004
【図３】
2005071871.tif 000005
【図４】
2005071871.tif 000006
【図５】
2005071871.tif 000007
【図６】
2005071871.tif 000008
【図７】
2005071871.tif 000009